(57)【特許請求の範囲】
【請求項１】
マイクロホンをケース本体内部に収納可能とされたマイクロホン収納ケースにおいて、
前記ケース本体を、前記マイクロホンを収納する収納部と、該収納部に対し該収納部を覆う閉位置と前記収納部を開放する開位置との間で回動可能に取り付けられた蓋部と、前記蓋部に対し移動可能な構成とされると共に前記マイクロホンを保持するマイク保持部を備えた可動部材とを具備した構成とし、
かつ、前記マイク保持部を、前記蓋部を開位置に位置させた状態で前記可動部材を移動させることにより、前記収納部から離間する方向に移動可能な構成としたことを特徴とするマイクロホン収納ケース。
【発明の詳細な説明】
【０００１】
【発明の属する技術分野】
本発明はマイクロホン収納ケースに係り、特に多機能化を図ったマイクロホン収納ケースに関する。
【０００２】
【従来の技術】
例えば、携帯用電子機器であるミニディスク装置（ＭＤ），ボイスレコーダ，及びテープレコーダ等は記録処理が可能であり、マイクロホンを用いて記録処理を行なう。この種の電子機器では、マイクロホンを機器内に内臓或いは収納できるよう構成されたものもあるが、この構成であると電子機器が大型化してしまう。このため、マイクロホンを電子機器と別体とし、マイクロホン使用時にはマイクロホンを機器本体に接続して使用する態様とされた電子機器がある。
【０００３】
このように、マイクロホンを機器本体に対し別体とした場合には、マイクロホンも電子機器と共に携帯する必要がある。この際、携帯時におけるマイクロホンの損傷防止及び携帯性の向上を図る面から、マイクロホンはマイクロホン収納ケースに収納された状態で携帯される。通常、この種のマイクロホン収納ケースとしては、マイクロホンを確実に保護する観点よりハードケースが用いられている。
【０００４】
【発明が解決しようとする課題】
ところで、上記した携帯用電子機器に付属したマイクロホンは接続コードに小型マイクが接続された構成である。このため、例えば電子機器を会議の記録用に用いた場合、マイクロホンスタンドが無いと、机上に直接マイクロホンを置いて使用することとなる。しかるに、机上に直接マイクロホンを置いた使用態様であると、机に発生する振動音等も小型マイクが拾ってしまい、良好な記録処理を行なえない。このため、通常マイクロホンは、マイクロホンスタンドに装着した状態で使用される。
【０００５】
従来、この種のマイクロホンスタンドは、マイクロホン収納ケースと別体とされていた。このため、従来において電子機器を携帯する時には、電子機器，マイクロホン収納ケース （内部にマイクロホンを収納する），及びマイクロホンスタンドの全てを携帯する必要があり、携帯性が悪くなるという問題点があった。特に、マイクロホンスタンドは、マイクロホンを机上等に立たせた状態で支持する構成であるため複雑な形状のものが多く、これも携帯性を悪化させる原因となっていた。
【０００６】
また、マイクロホンはマイクロホン収納ケースに収納されて携帯されるため紛失するおそれは少ないが、マイクロホンスタンドは独立して携帯するため損失し易いという問題点もあった。
【０００７】
本発明は上記の点に鑑みてなされたものであり、携帯性の向上を図りうるマイクロホン収納ケースを提供することを目的とする。
【０００８】
【課題を解決するための手段】
上記の課題を解決するために本発明では、次に述べる各手段を講じたことを特徴とするものである。
【０００９】
請求項１記載の発明は、
マイクロホンをケース本体内部に収納可能とされたマイクロホン収納ケースにおいて、
前記ケース本体を、前記マイクロホンを収納する収納部と、該収納部に対し該収納部を覆う閉位置と前記収納部を開放する開位置との間で回動可能に取り付けられた蓋部と、前記蓋部に対し移動可能な構成とされると共に前記マイクロホンを保持するマイク保持部を備えた可動部材とを具備した構成とし、
かつ、前記マイク保持部を、前記蓋部を開位置に位置させた状態で前記可動部材を移動させることにより、前記収納部から離間する方向に移動可能な構成としたことを特徴とするものである。
【００１２】
上記した各手段は、次のように作用する。
【００１３】
請求項１記載の発明によれば、
ケース本体にマイクロホンスタンドとして機能するスタンド機構を一体的に設けた構成としたことにより、マイクロホン収納ケースにマイクロホンを収納する機能と、マイクロホンスタンドとしての機能の二つの機能を持たせることができる。
【００１４】
よって、携帯的には従来のようにマイクロホン収納ケースとマイクロホンスタンドの二つを持つ必要はなくなり、単にマイクロホン収納ケースのみを携帯すればよく、携帯性の向上を図ることができる。また、マイクロホンスタンドとして機能するスタンド機構がマイクロホン収納ケースと一体化しているため、従来のようにマイクロホンスタンドを紛失することもなくなる。
【００１５】
また、マイクロホンを収納する収納部と、この収納部に対し所定位置間で回動可能に取り付けられた蓋部とによりケース本体を構成したことにより、開蓋した状態において蓋部は収納部に対し起立した状態となる。また、スタンド機構を蓋部に一体的に設け、開蓋した状態における蓋部にマイクロホンを取り付けうる構成としたことにより、取り付け状態においてマイクロホンは起立した蓋部に配設された状態となる。
【００１６】
よって、マイクロホンを収納部が載置される載置台（例えば、机等）から離間させることができ、雑音がマイクロホンに混入することを防止することができる。また、蓋部を利用してマイクロホンを載置台から離間させる構成であるため、マイクロホンを載置台から離間させるためにケース本体以外の部材は不要となり、マイクロホン収納ケースの簡単化及び部品点数の削減を図ることができる。
【００１７】
また、スタンド機構に可動部材を設け、この可動部材にマイクロホンを保持するマイク保持部を設けると共にケース本体に対し移動可能な構成としたことにより、マイクロホンのケース本体に対する位置を変更することが可能となる。このため、マイクロホンの設置位置に自由度を持たせることができ、良好な記録処理を行なうことが可能となる。
【００１８】
【発明の実施の形態】
次に、本発明の実施の形態について図面と共に説明する。
【００１９】
図１乃至図４は、本発明の一実施例であるマイクロホン収納ケース１０を示している。このマイクロホン収納ケース１０は、内部にマイクロホン１１を収納するものであり、記録機能を有した電子機器（例えばミニディスク装置，ボイスレコーダ等）を携帯する際に合わせて携帯するものである。
【００２０】
本実施例に係るマイクロホン収納ケース１０は、大略するとケース本体１２とスタンド機構１３とにより構成されている。ケース本体１２は、収納部２０と蓋部２１とにより構成されている。収納部２０及び蓋部２１は、いずれも樹脂により形成されている。
【００２１】
収納部２０は筐体形状を有しており、その上部は開口された構成とされている。従って、収納部２０の内部には収納空間２２が形成されており、収納時においてマイクロホン１１はこの収納空間２２内に収納される。
【００２２】
蓋部２１は収納部２０に対し、図１及び図３（Ｃ）に示す矢印Ａ１，Ａ２方向に回動可能に取り付けられている。この蓋部２１は、図中矢印Ａ２方向に回動することにより、図２に示す収納部２２を覆う閉位置に移動する。また、蓋部２１は、図中矢印Ａ１方向に回動することにより、図１及び図３に示す収納部２２を開放する開位置に移動する。
【００２３】
また、蓋部２１が収納部２０に軸承される位置には、チルト機構（図には、現れず）が設けられている。このチルト機構は、蓋部２１の軸承部近傍に形成された凸部と、収納部２０の蓋部２１と対向する位置に形成された複数の凹部とにより構成されている。そして、蓋部２１に形成された凸部が、収納部２０に形成された複数の凹部に選択的に嵌合することにより、蓋部２１は収納部２０に対する傾き角度を選択できる構成とされている。
【００２４】
スタンド機構１３は、蓋部２１，スライド板２５，スライド板用保持部２６，及びマイク保持部２７等により構成されている。スライド板２５は平板状の部材であり、蓋部２１と対向する面には、複数の小突起２８が形成されている。この小突起２８は，スライド板２５の両側位置に等間隔で一体的に形成されている。スライド板用保持部２６は鉤状の形状を有しており、蓋部２１と一体的に形成されている。このスライド板用保持部２６は、前記したスライド板２５の両側部と摺動可能に係合しており、よってスライド板用保持部２６の図中矢印Ｚ１，Ｚ２方向への移動を案内する機能を奏するものである。
【００２５】
マイク保持部２７は、スライド板２５に一体的に形成されている。このマイク保持部２７は、マイクロホン１１の保持位置を挟んで配設された一対の爪部を二組設けた構成とれさており、各爪部がマイクロホン１１と係合することによりマイクロホン１１をスライド板２５に保持する機能を奏する。
【００２６】
マイクロホン１１は、図３（Ｃ），（Ｄ）に示すように、小型マイク１５，装着部１６，及びコード１７等により構成されている。小型マイク１５は音声等を入力する部位であり、装着部１６の上部に配設されている。また、コード１７はボイスレコーダ等の電子機器に接続されるものであり、装着部１６の下部から延出している。
【００２７】
装着部１６は樹脂成形されたものであり、小型マイク１５及びコード１７に比べ機械的強度が高くなるよう構成されている。前記したマイク保持部２７は、この装着部１６と係合するよう構成されている。
【００２８】
よって、マイクロホン１１をスライド板２５に保持した状態でも、比較的損傷しやすい小型マイク１５及びコード１７はマイク保持部２７と接触することはない。このため、マイクロホン１１をスライド板２５に装着脱する際、小型マイク１５及びコード１７に損傷が発生することを防止することができる。
【００２９】
また、前記したように、スライド板２５の蓋部２１と対向する面には小突起２８が形成されているが、蓋部２１のスライド板２５と対峙する面には小突起２８と係合する凹部（図示せず）が形成されている。よって、スライド板２５を蓋部２１に対して図中矢印Ｚ１，Ｚ２方向にスライドさせる際、小突起２８と蓋部２１の凹部とが係合する毎にスライド板２５は係止される。
【００３０】
よって、蓋部２１に対するスライド板２５の位置は、小突起２８の形成位置単位で調整することができ、よってスライド板２５に保持されているマイクロホン１１の高さ位置を調整することが可能となる。
【００３１】
図１および図３は、スライド板２５を蓋部２１に対して最も長く延出させた（矢印Ｚ１方向に延出させた）状態を示している。この状態では、マイクロホン１１の小型マイク１５は、最も高い位置に位置決めされた状態となる。
【００３２】
また、マイクロホン１１の図示は省略しているが、図４に示すように、スライド板２５を図中矢印Ｚ２方向に収納すると、小型マイク１５は最も低い位置に位置決めされた状態となる。このように、録音時においてマイクロホン１１の高さを任意の高さに調整できることにより、最も良好な高さ位置で記録を行なうことができる。
【００３３】
また、マイクロホン収納ケース１０の携帯時においても、スライド板２５は図４に示されるように図中矢印Ｚ２方向に移動される。この状態において、スライド板２５は蓋部２１の外周に対し内側に位置するよう構成されている。よって、ケース本体１２にスタンド機構１３を設けても、携帯時に蓋部２１を閉蓋する際にスライド板２５が邪魔になるようなことはない。
【００３４】
上記のように、本実施例に係るマイクロホン収納ケース１０は、ケース本体１２にマイクロホンスタンドとして機能するスタンド機構１３を一体的に設けた構成としている。即ち、マイクロホン収納ケース１０は、マイクロホン１１を収納する機能とマイクロホンスタンドとしての機能とを併せ持った構成とされている。
【００３５】
よって、携帯的には従来のようにマイクロホン収納ケース１０とマイクロホンスタンドの二つを持つ必要はなくなり、単にマイクロホン収納ケース１０のみを携帯すればよく、携帯性の向上を図ることができる。また、マイクロホンスタンドとして機能するスタンド機構１３がマイクロホン収納ケース１０と一体化しているため、従来のようにマイクロホンスタンドを紛失するおそれもなくなる。
【００３６】
また、マイクロホン収納ケース１０は、蓋部２１をスタンド機構１３の一部として用いている。この蓋部２１は開蓋した状態において収納部２０に対し起立した状態となるため、マイクロホン１１を保持するスタンド機構１３の一部として蓋部２１を用いることができる。
【００３７】
よって、スライド板２５のみでマイクロホン１１を保持する構成に比べ、マイクロホン１１（小型マイク１５）を収納部２０が載置される机等から大きく離間させることができ、雑音がマイクロホン１１に混入することをより確実に防止することができる。また、蓋部２１をスタンド機構１３の一部として用いたことにより、簡単な構成でマイクロホン１１を机等から大きく離間させることができ、マイクロホン収納ケース１０の簡単化及び部品点数の削減を図ることができる。尚、マイクロホン１１は、本実施例に係るマイクロホン収納ケース１０のみに用いられるものではなく、例えば図５に示すように、クリップ３０に装着して使用することも可能なものである。
【００３８】
このクリップ３０は、例えば襟元等にマイクロホン１１を装着する場合に使用されるものであり、基部３２にマイクロホン１１を保持するためのマイク保持部３１を形成すると共に、マイク保持部３１の配設位置と反対側に襟元等に装着するためのクリップ部３３を設けた構成とされている。また、基部３２はクリップ部３３に対して回転可能な構成とされており、装着性の向上が図られている。
【００３９】
また、マイクロホン１１の種類形状は種々あり、よってマイクロホン収納ケース１０に配設されたスタンド機構１３もマイクロホン１１の仕様に対応させる必要がある。
【００４０】
この際、本実施例の構成では、マイクロホン１１を保持するマイク保持部２７がスライド板２５に配設された構成であるため、マイクロホン１１の仕様に対応させるには、単にスライド板２５を仕様に適応したものに変更すればよく、ケース本体１２を変更する必要はない。よって、簡単かつ低コストで種々のマイクロホン１１に対応することが可能となる。
【００４１】
また、上記した実施例においては、ケース本体１２としてハードケースを用いた構成を例に挙げて説明したが、ケース本体は必ずしもハードケースである必要はない。即ち、ケース本体をソフトケースにより構成しても、ソフトケースにマイクロホン１１を保持するに足る剛性を持たせることにより、実施例と同様な構成とすることが可能である。更に、ソフトケースの場合には、その形状をマイクスタンド状の形状に折り曲げる等により、マイクロホン１１を保持するスタンドとして用いることも考えられる。
【００４２】
【発明の効果】
上述の如く本発明によれば、次に述べる種々の効果を実現することができる。請求項１記載の発明によれば、マイクロホン収納ケースにマイクロホンを収納する機能と、マイクロホンスタンドとしての機能の二つの機能を持たせることができる。このため、携帯的には単にマイクロホン収納ケースのみを携帯すればよく、携帯性の向上を図ることができる。
【００４３】
また、マイクロホンスタンドとして機能するスタンド機構がマイクロホン収納ケースと一体化しているため、従来のようにマイクロホンスタンドを紛失することもなくなる。
【００４４】
また、マイクロホンを収納部が載置される載置台（例えば、机等）から離間させることができ、雑音がマイクロホンに混入することを防止することができる。また、蓋部を利用してマイクロホンを載置台から離間させる構成であるため、マイクロホンを載置台から離間させるためにケース本体以外の部材は不要となり、マイクロホン収納ケースの簡単化及び部品点数の削減を図ることができる。
【００４５】
また、マイクロホンの設置位置に自由度を持たせることができ、マイクロホンを良好な音声入力処理を行なう位置に位置決めすることが可能となる。
【図面の簡単な説明】
【図１】本発明の一実施例であるマイクロホン収納ケースのマイクロホン使用状態を示す斜視図である。
【図２】本発明の一実施例であるマイクロホン収納ケースのマイクロホン収納状態を示す斜視図である。
【図３】本発明の一実施例であるマイクロホン収納ケースのスライド板を伸ばした状態を示しており、（Ａ）は平面図、（Ｂ）は正面図、（Ｃ）は右側面図、（Ｄ）は背面図、（Ｅ）は底面図である。
【図４】本発明の一実施例であるマイクロホン収納ケースのスライド板を縮めた状態を示しており、（Ａ）は右側面図、（Ｂ）は背面図である。
【図５】マイクロホンをクリップに装着した状態を示す図であり、（Ａ）は背面図、（Ｂ）は右側面図である。
【符号の説明】
１０  マイクロホン収納ケース
１１  マイクロホン
１２  ケース本体
１３  スタンド機構
１５  小型マイク
１６  装着部
１７  コード
２０  収納部
２１  蓋部
２２  収納空間
２５  スライド板
２６  スライド板用保持部
２７  マイク保持部
２８  小突起
３０  クリップ３０
【図１】
0003799952.tif 000002
【図２】
0003799952.tif 000003
【図３】
0003799952.tif 000004
【図４】
0003799952.tif 000005
【図５】
0003799952.tif 000006